(57)【特許請求の範囲】
【請求項１】
映像信号が示す番組の種類を少なくとも示す映像情報を抽出し、
上記映像情報を用いて上記各種類における視聴可能な番組数を算出し、
上記番組の種類及び当該番組の種類における視聴可能な番組数を番組のジャンル別にアイコンを用いて表示し、
操作入力信号に応じて、上記ジャンル別に表示された番組の種類の中から操作選択されたジャンルに含まれる番組の種類及び当該番組の種類における視聴可能な番組数を、上記アイコンにより示される視聴可能な番組数に数えられている番組の番組情報として、アイコンを用いて表示する映像情報表示方法。
【請求項２】
映像信号が示す番組の種類を少なくとも示す映像情報を抽出する抽出手段と、
上記抽出手段により抽出された映像情報を用いて各種類における視聴可能な番組数を算出する番組数算出手段と、
上記番組の種類及び当該番組の種類における視聴可能な番組数を表示する表示手段と、
上記番組数算出手段により算出された上記視聴可能な番組数をアイコンを用いて上記表示手段に表示させる表示制御手段と、
上記表示手段に上記アイコンにより視聴可能な番組数が番組のジャンル別に表示される番組の種類の中から番組のジャンルを選択することで、選択されたジャンルに含まれる番組の種類及び当該番組の種類における視聴可能な番組数を、上記アイコンにより示される視聴可能な番組数に数えられている番組の番組情報として、アイコンを用いて表示するように操作入力命令を生成して上記表示制御手段に出力する操作入力手段と
を備える映像情報表示装置。
【請求項３】
外部からの映像信号を受信する受信手段と、
上記受信手段で映像信号を受信して視聴することができる番組数を判定する番組数判定手段を備え、
上記番組数判定手段は上記視聴可能な番組数を上記表示制御手段によりアイコンを用いて表示手段に表示させる請求項２記載の映像情報表示装置。
【請求項４】
上記抽出手段により映像情報が抽出された結果、予め設定された番組の種類に該当する番組を示す映像信号が存在するか否かを判定する番組判定手段を備え、
上記番組判定手段は、予め設定された番組の種類がないと判断したときには、上記表示制御手段により上記表示手段に予め設定された番組の種類の表示をしないようにする請求項２記載の映像情報表示装置。
【請求項５】
上記番組判定手段は、上記抽出手段により記録媒体に記録された映像信号について映像情報が抽出された結果、予め設定された番組の種類に該当する映像信号が存在するか否かを判定し、記録媒体に記録した映像信号に予め設定された番組の種類がないときには、上記表示制御手段により上記表示手段に予め設定された番組の種類の表示をしないようにする請求項４記載の映像情報表示装置。
【請求項６】
上記抽出手段により映像信号について映像情報を抽出した結果、上記映像信号が示す番組の種類にサブカテゴリが含まれているか否かを判定するサブカテゴリ判定手段を備え、
上記サブカテゴリ判定手段は、番組の種類にサブカテゴリが含まれているときには、上記表示制御手段により上記表示手段に当該サブカテゴリを下位の階層として表示させる請求項２記載の映像情報表示装置。
【請求項７】
映像信号が示す番組の種類を少なくとも示す映像情報を抽出し、
上記映像情報を用いて上記各種類における視聴可能な番組数を算出し、
上記番組の種類及び当該番組の種類における視聴可能な番組数を番組のジャンル別にアイコンを用いて表示させるための表示制御信号を生成し、生成した表示制御信号を映像信号に付加して出力し、
操作入力信号に応じて、上記ジャンル別に表示された番組の種類の中から操作選択されたジャンルに含まれる番組の種類及び当該番組の種類における視聴可能な番組数を、上記アイコンにより示される視聴可能な番組数に数えられている番組の番組情報として、アイコンを用いて表示させるための表示制御信号を生成し、生成した上記表示制御信号を映像信号に付加して出力する映像信号処理方法。
【請求項８】
映像信号が示す番組の種類を少なくとも示す映像情報を抽出する抽出手段と、
上記抽出手段により抽出された映像情報を用いて上記各種類における視聴可能な番組数を算出する番組数算出手段と、
上記番組の種類及び当該番組の種類における視聴可能な番組数をアイコンを用いて表示させるための表示制御信号を生成する制御信号生成手段と、
上記アイコンにより視聴可能な番組数が番組のジャンル別に表示される番組の種類の中から番組のジャンルを選択することで、選択されたジャンルに含まれる番組の種類及び当該番組の種類における視聴可能な番組数を、上記アイコンにより示される視聴可能な番組数に数えられている番組の番組情報として、アイコンを用いて表示するように操作入力命令を生成して上記制御信号生成手段に出力する操作入力手段と、
上記制御信号生成手段により生成される上記番組の種類及び当該番組の種類における視聴可能な番組数を番組のジャンル別にアイコンを用いて表示させるための表示制御信号を映像信号に付加して出力し、上記操作入力命令に応じて上記制御信号生成手段により生成される、上記ジャンル別に表示された番組の種類の中から操作選択されたジャンルに含まれる番組の種類及び当該番組の種類における視聴可能な番組数を、上記アイコンにより示される視聴可能な番組数に数えられている番組の番組情報として、アイコンを用いて表示させるための表示制御信号を映像信号に付加して出力する映像信号処理手段と
を備える映像信号処理装置。
【請求項９】
外部からの映像信号を受信する受信手段を備え、
上記制御信号生成手段は、上記受信手段で受信した映像信号を受信して視聴することができる番組数及び／又は記録媒体に記録されている映像信号の番組数をアイコンを用いて表示するように表示制御信号を生成する請求項８記載の映像信号処理装置。
【請求項１０】
上記受信手段で映像信号を受信して視聴することができる番組数を判定する番組数判定手段を備え、上記番組数判定手段は、アイコンを用いて番組数を表示するように上記制御信号生成手段に表示制御信号を生成させる請求項９記載の映像信号処理装置。
【請求項１１】
上記抽出手段により映像情報が抽出された結果、予め設定された番組の種類に該当する映像信号が存在するか否かを判定する番組判定手段を備え、
上記番組判定手段は、予め設定された番組の種類がないと判断したときには予め設定された番組の種類の表示をしないように上記制御信号生成手段に表示制御信号を生成させる請求項８記載の映像信号処理装置。
【請求項１２】
上記番組判定手段は、上記抽出手段により記録媒体に記録された映像信号について映像情報が抽出された結果、予め設定された番組の種類に該当する映像信号が存在するか否かを判定し、記録媒体に記録した映像信号に予め設定された番組の種類がないときには、予め設定された種類の表示をしないように上記制御信号生成手段に表示制御信号を生成させる請求項１１記載の映像信号処理装置。
【請求項１３】
上記抽出手段により映像信号について映像情報を抽出した結果、映像信号が示す番組の種類にサブカテゴリが含まれているか否かを判定するサブカテゴリ判定手段を備え、上記サブカテゴリ判定手段は、番組の種類にサブカテゴリが含まれているときには、当該サブカテゴリを下位の階層として表示するように上記制御信号生成手段に表示制御信号を生成させる請求項８記載の映像信号処理装置。
【発明の詳細な説明】
【０００１】
【発明の属する技術分野】
本発明は、電子番組案内（Electrical Program Guide:EPG）により複数の番組に関する情報を表示して映像の内容を提示するための映像情報表示方法及び装置、映像信号処理方法及び装置に関する。
【０００２】
【従来の技術】
近年、放送衛星や通信衛星等の衛星によって、テレビジョン信号をディジタル信号化して伝送し、例えば各家庭において放送信号を受信して視聴する放送システムが普及している。このような放送システムにおいては、約１５０程度あるチャンネルを確保することが可能であるため、例えばこれまでの地上波による放送と比較しても、非常に多くの番組を放送することができる。
【０００３】
このような放送システムでは、多くの番組の中から、所望の番組を容易に選択できるようにするため、放送信号が示す映像信号からなる番組とともに、当該番組の内容等を示す付加情報からなる電子番組案内（Electrical Program Guide、以下ＥＰＧと呼ぶ。）データを伝送することがなされている。そして、この放送システムにおいては、受信装置側で当該ＥＰＧデータを受信して表示を行い、ＥＰＧデータに応じてユーザが所望の番組を選択することが提案されている。
【０００４】
上述のＥＰＧデータでは、番組内容の種類・種別を示すジャンルに応じた番組の選択、放送時間帯による番組の内容提示、各番組の内容提示といった機能が用いられている。ＥＰＧデータは、放送されている番組の付加情報として送信される番組案内情報である。具体的には、ＥＰＧデータは、番組のジャンル、放送開始時間、放送終了時間、主な番組の内容等が含まれた情報である。
【０００５】
そして、上記放送システムの受信装置では、ＥＰＧデータを利用して、例えば放送時間帯による番組の紹介を行う。この放送時間帯による番組の紹介は、新聞や番組情報誌等で一般的な番組表を電子化したものである。
【０００６】
ここで、上述の放送システムでは、放送信号が約１５０以上もの番組を示すため、新聞等とは異なり全ての番組を表示することは表示モニタの画面寸法からしても不可能である。そこで、受信装置では、ユーザがＥＰＧデータを利用した番組の紹介により所望の番組を選択するためには、所望の放送時間帯をユーザが選択したら、当該選択された放送時間帯において放送されている番組を表示する。しかし、このＥＰＧデータを利用した番組紹介であっても、ＣＳ放送による多チャンネルでは上記所望の放送時間帯から全チャンネルについてユーザが所望の番組を選択することが必要となってしまう。
【０００７】
そこで、受信装置は、よりユーザの希望の番組の紹介を実現するために、ＥＰＧデータを利用した番組内容のジャンルによる選択を可能としている。このような受信装置は、ＥＰＧデータを利用することにより、全ての番組のジャンルから、ユーザにより選択されたジャンルを抽出することで、選択されたジャンルのみをリストアップして表示モニタに表示する処理を行う。これにより、ユーザは、数多くの放送されている番組から、リストアップされたジャンルにおける番組を選択することができる。
【０００８】
上述したようにユーザの所望したジャンルにおける番組をリストアップして表示する処理を行う受信装置では、表示モニタによる表現空間が限定されるため、リストアップされた番組の詳細情報を表示することができない。そこで、この受信装置では、詳細な番組の情報をユーザが希望する場合にはリスト上の番組にカーソルを移動させて選択し、その詳細な情報を表示する処理を行う。
【０００９】
【発明が解決しようとする課題】
上述したような手法でユーザが番組の把握或いは選択を行う場合、最初に全体の番組の内容を表示することができない。すなわち、例えば新聞や番組雑誌等では、番組一覧表を開き、放送時間帯或いはチャンネルによって、どの番組が面白いのかということを考える。しかし、現行のＥＰＧの表現方法では、それを限られた表示モニタの表現空間で表示しようとするため、情報量が減ってしまい、紙による番組一覧表と同じ見方ができない状態となっている。また、受信装置に備えられている表示モニタでは、紙面上の番組表のような細やかな表示が不可能であり、例えばタイトル等の番組情報を表示しても全部を表示することが不可能である。従って、上述の受信装置では、各番組の詳細な情報の全てをユーザに示すことが不可能となっている。
【００１０】
そこで、本発明は、上述したような実情に鑑みて提案されたものであり、多大な番組をＥＰＧを用いて表示することで所望の番組を容易に選択させることができる映像情報表示方法及び装置、多大な番組をＥＰＧを用いて表示することで所望の番組を容易に選択させ映像を出力する映像信号処理方法及び装置を提供することを目的とする。
【００１１】
【課題を解決するための手段】
上述の課題を解決する本発明に係る映像情報表示方法及び装置は、上述の課題を解決する本発明に係る映像情報表示方法及び装置は、映像信号が示す番組の種類を少なくとも示す映像情報を抽出し、上記映像情報を用いて上記各種類における視聴可能な番組数を算出し、上記番組の種類及び当該番組の種類における視聴可能な番組数を番組のジャンル別にアイコンを用いて表示し、操作入力信号に応じて、上記ジャンル別に表示された番組の種類の中から操作選択されたジャンルに含まれる番組の種類及び当該番組の種類における視聴可能な番組数を、上記アイコンにより示される視聴可能な番組数に数えられている番組の番組情報として、アイコンを用いて表示することを特徴とする。
【００１２】
このような映像情報表示方法及び装置によれば、複数の番組から入力された複数の映像信号に付加された映像情報から番組の種類を抽出し、当該各番組の種類における視聴可能な番組数を得る。そして、この映像情報表示方法及び装置によれば、映像信号が示す番組の種類及び当該各種類の番組における視聴可能な番組数を番組のジャンル別にアイコンを用いて表示し、操作入力信号に応じて、上記ジャンル別に表示された番組の種類の中から操作選択されたジャンルに含まれる番組の種類及び当該番組の種類における視聴可能な番組数を、上記アイコンにより示される視聴可能な番組数に数えられている番組の番組情報として、アイコンを用いて表示する。
【００１３】
本発明に係る映像信号処理方法及び装置は、映像信号が示す番組の種類を少なくとも示す映像情報を抽出し、上記映像情報を用いて上記各種類における視聴可能な番組数を算出し、上記番組の種類及び当該番組の種類における視聴可能な番組数を番組のジャンル別にアイコンを用いて表示させるための表示制御信号を生成し、生成した表示制御信号を映像信号に付加して出力し、操作入力信号に応じて、上記ジャンル別に表示された番組の種類の中から操作選択されたジャンルに含まれる番組の種類及び当該番組の種類における視聴可能な番組数を、上記アイコンにより示される視聴可能な番組数に数えられている番組の番組情報として、アイコンを用いて表示させるための表示制御信号を生成し、生成した上記表示制御信号を映像信号に付加して出力することを特徴とする。
【００１４】
このような映像信号処理方法及び装置によれば、複数の番組から入力された複数の映像信号に付加された映像情報を抽出することで映像信号が示す番組の種類を抽出し、当該各番組の種類における視聴可能な番組数を得る。そして、この映像信号処理方法及び装置によれば、抽出結果に応じて番組の種類及び当該番組の種類における視聴可能な番組数を番組のジャンル別にアイコンを用いて表示させるための表示制御信号を生成し、生成した表示制御信号を映像信号に付加して出力し、操作入力信号に応じて、上記ジャンル別に表示された番組の種類の中から操作選択されたジャンルに含まれる番組の種類及び当該番組の種類における視聴可能な番組数を、上記アイコンにより示される視聴可能な番組数に数えられている番組の番組情報として、アイコンを用いて表示させるための表示制御信号を生成し、生成した上記表示制御信号を映像信号に付加して出力する処理を行う。
【００１５】
【発明の実施の形態】
以下、本発明の実施の形態について図面を参照しながら詳細に説明する。
【００１６】
本発明は、例えば図１に示すように構成された受信装置１に適用される。この受信装置１は、例えばアンテナにより放送波を受信し、当該放送波が示す映像、音響をユーザに提供するものである。この受信装置１には、例えば映像及び音響等を格納する記録媒体を備えたビデオディスクレコーダ２０と、映像を提供するモニタ装置３０と、音響を提供するスピーカ装置４０とが接続されている。
【００１７】
受信装置１は、例えばアンテナ等により受信された放送波からなる放送信号が入力されるチューナ２を備える。このチューナ２は、所定のフォーマットに従って、映像を示す映像信号及び映像に対応した音響を示す音響信号と、当該映像信号に付加された番組情報案内データ（以下、ＥＰＧデータと称する。）とを少なくとも含む放送信号が入力される。なお、上記放送波としては、衛星放送波の他に、有線放送波や地上波等がある。また、チューナ２は、内部に信号処理回路を備え、この信号処理回路により例えばＡ／Ｄ変換処理、デコード処理等を入力された放送信号に施す。
【００１８】
上記ＥＰＧデータは、図２に示すように、番組を識別するときに用いられる番組ＩＤ、番組のジャンル等を含む番組紹介情報、放送開始時間情報、放送終了時間情報を含んで構成されている。更に、上記番組紹介情報は、番組ジャンル、番組タイトル、出演者情報、番組概要、サービス情報を含んで構成される。
【００１９】
上記チューナ２は、受信装置１の全体を制御する内部制御部３からの制御信号に従って、放送信号を受信するためのチューニング処理を行うように構成されている。このチューナ２は、放送信号をデコード処理して内部制御部３及び番組情報抽出部４に出力する。
【００２０】
内部制御部３は、制御信号を生成して、受信装置１を構成する各部に出力することで制御する。この内部制御部３は、上記チューナ２からのＥＰＧデータ、映像信号及び音響信号をメモリ５又はＨＤＤ６に格納されている記録媒体に記録する。また、この内部制御部３は、チューナ２で受信した放送信号をビデオディスクレコーダ２０に入力するように制御しても良い。
【００２１】
メモリ５は、図３に示すように、それぞれが異なる領域に設けられたプログラムエリア５１と、データエリア５２とが設けられている。プログラムエリア５１には、例えば内部制御部３によりその内容が読み込まれる制御プログラムが格納されている。このプログラムエリア５１に格納される上記制御プログラムとしては、操作入力部７からの操作入力命令に応じて所定の処理を行うためのプログラム、チューナ２で放送信号を受信するためのチューニング処理を行うためのプログラム等がある。なお、プログラムエリア５１には、上述したような制御プログラムに限らず、例えば受信装置１に新たな機能を追加することに対応した制御プログラムを格納しても良い。すなわち、このプログラムエリア５１には、操作入力部７からの操作入力命令に応じて例えば通信制御部８を介して他の制御プログラムを受信して新たな制御プログラムを追加したり、変更、削除等が可能である。
【００２２】
データエリア５２には、例えば上述のチューナ２からのＥＰＧデータや、映像信号及び音響信号等が内部制御部３により格納される。また、データエリア５２は、例えば内部制御部３が制御プログラムにより処理を行っているときの作業エリアとして機能する。このデータエリア５２には、例えば内部制御部３による処理の途中に生成されるデータが一時的に格納される。
【００２３】
ＨＤＤ６は、例えば光磁気ディスク等の記録媒体を備え、内部制御部３により格納される内容が変更される。このＨＤＤ６には、例えば上記ＥＰＧデータ、映像信号、音響信号、後述の簡易番組表データ等が格納される。
【００２４】
内部制御部３は、図３に示すように、メモリ５に格納された制御プログラムを実行するＣＰＵ（Central Process Unit）６１と、ＣＰＵ６１と他の各部とのデータの入出力を管理するＩ／Ｏ制御部６２とを備える。
【００２５】
ＣＰＵ６１は、制御プログラムをメモリ５から読み込み、当該制御プログラムに従った処理を行う。ＣＰＵ６１は、制御プログラムに従った処理を行うことにより、制御信号を生成して各部を制御する。また、このＣＰＵ６１は、他の制御プログラムに従った処理を行うことで、ＥＰＧデータを用いて、簡易番組表データを作成する処理を行う。
【００２６】
Ｉ／Ｏ制御部６２は、操作入力部７、通信制御部８、ホームネット入出力制御部９、番組情報抽出部４と接続されている。このＩ／Ｏ制御部６２は、これらの接続された各部からの信号をＣＰＵ６１の制御に応じて入力する。また、このＩ／Ｏ制御部６２は、ＣＰＵ６１からの制御信号、映像信号等の信号をＣＰＵ６１の指示に従って各部に出力する。これにより、Ｉ／Ｏ制御部６２は、ＣＰＵ６１の処理負担を軽減してＣＰＵ６１の処理をより効果的なものとする。更に、このＩ／Ｏ制御部６２は、ＣＰＵ６１による処理を行わないで内部制御部３を介して信号を入出力するときには、ＣＰＵ６１に信号を入力させずに他の各部に直接転送する処理を行う。例えばホームネット入出力制御部９から入力されたデータをＣＰＵ６１で処理を何ら行わないで番組情報抽出部４に出力するとき、当該Ｉ／Ｏ制御部６２に入力されたデータは、Ｉ／Ｏ制御部６２により直接転送される。そして、ＣＰＵ６１は、Ｉ／Ｏ制御部６２が行った直接転送によって番組情報抽出部４により抽出されるＥＰＧデータについて制御を行うことになる。
【００２７】
上記内部制御部３は、上述の制御プログラムに従って動作することで、番組情報抽出部４により抽出されメモリ５又はビデオディスクレコーダ２０に格納されたＥＰＧデータを読み込んで所定の処理を施すことにより、図４に示すようなジャンルデータと複数のＥＰＧデータとからなる簡易番組表データを作成する。すなわち、この内部制御部３は、制御プログラムを実行することにより、複数のＥＰＧデータに含まれる各番組ジャンルの内容を認識してジャンルデータを生成し、当該ジャンルデータに属するＥＰＧデータを分類して簡易番組表データを生成する処理を行う。なお、この内部制御部３により簡易番組表データを生成するときの詳細な処理については、後述する。そして、この内部制御部３は、生成した簡易番組表データをグラフィクス表示信号作成部１０に出力する。
【００２８】
グラフィクス表示信号作成部１０は、内部制御部３からの簡易番組表データをモニタ装置３０に表示するための形式に変換することで、簡易番組表データの内容をコンピュータ・グラフィックで表示させる番組表示信号を生成する。そして、このグラフィクス表示信号作成部１０は、生成した番組表示信号を映像合成部１１に出力する。
【００２９】
番組情報抽出部４は、内部制御部３からの制御信号に従って、チューナ２からの放送信号からＥＰＧデータを抽出する処理を行う。このとき、番組情報抽出部４は、放送信号を、映像信号及び音響信号と、ＥＰＧデータとに分割する処理を行うことでＥＰＧデータを抽出する。この番組情報抽出部４は、抽出して得たＥＰＧデータを内部制御部３に出力するとともに、映像信号を映像信号再生部１２に出力し、音響信号を音響信号再生部１３に出力する。
【００３０】
映像信号再生部１２は、番組情報抽出部４からの映像信号について、映像信号が示す映像を再生して表示するための処理を施す。この映像信号再生部１２は、所定の処理を施した映像信号を映像合成部１１に出力する。
【００３１】
音響信号再生部１３は、番組情報抽出部４からの音響信号について、音響信号が示す音響を再生するための処理を施す。この音響信号再生部１３は、所定の処理を施した音響信号をスピーカ装置４０に出力する。
【００３２】
映像合成部１１は、上記グラフィクス表示信号作成部１０からの番組表示信号と映像信号再生部１２からの映像信号とを合成する処理を行う。これにより、映像合成部１１は、合成することでモニタ装置３０に映像を表示させるための映像出力信号をモニタ装置３０に出力する。
【００３３】
上記ホームネット入出力制御部９は、内部制御部３からの制御信号に従ってビデオディスクレコーダ２０や図示しない複数の機器とからなるホームネットと受信装置１とのデータの入出力を制御する。上記ホームネットとは、一般家庭に普及したビデオデッキやビデオカメラ、冷蔵庫や風呂等といった日常の生活で使用している電気機器の制御を行うためのネットワークである。そして、この受信装置１には、上記ホームネットワークとしてビデオディスクレコーダ２０が接続されている一例について図示したが、この他の機器がホームネット入出力制御部９に接続されていても良い。
【００３４】
例えばユーザが記録することを所望する番組があるときには、操作入力部７からの操作入力命令に従って内部制御部３が制御信号を生成し、ホームネット入出力制御部９を介してビデオディスクレコーダ２０を含むホームネットに接続することで、当該番組を自動的に記録する等の処理を行う。これにより、受信装置１では処理することができない処理を、ホームネット入出力制御部９に接続されたホームネットワークに含まれる機器で処理することができる。このとき、ＣＰＵ６１は、例えばホームネットワークからホームネット入出力制御部９を介して入力した制御プログラムをメモリ５のプログラムエリア５１に格納しておき、適宜制御プログラムを読み込むことで上述の処理を行う。
【００３５】
上記通信制御部８は、例えばインターネット等の通信回線を用いたネットワークと接続され、受信装置１と前記インターネット等とを接続するためのインターフェイス回路として機能する。そして、この通信制御部８は、通信回線からの信号を所定の形式に変換して内部制御部３に出力する。この通信制御部８は、例えばデータをダウンロードすることにより課金処理を行うためにあるコンテンツに対して契約をする必要があるとき、契約をするのに必要な情報をサービス会社等に送信する。そして、通信制御部８は、通信回線を介して情報を内部制御部３からの制御信号に従って送受信する処理を行う。
【００３６】
上記操作入力部７は、図５に示すように、例えばユーザが操作するリモートコントローラ７１、当該リモートコントローラ７１からの操作信号を受信して操作入力命令を生成するコマンド受信部７２とから構成される。
【００３７】
リモートコントローラ７１は、図６に示すように複数のボタンが設けられており、ユーザに押圧操作されることに応じて操作信号を生成して出力する。リモートコントローラ７１において、テレビ電源ボタン８１はモニタ装置３０の電源のオン／オフをするときに押圧操作され、ＳＴＢ（セット・トップ・ボックス）電源ボタン８２は受信装置１の電源のオン／オフをするときに押圧操作され、消音ボタン８３は消音についてのオン／オフをするときに押圧操作される。
【００３８】
また、リモコン切換ボタン８４として、「テレビ」、「ＳＴＢ」の２つのボタンが設けられており、操作する対象を切り換えるときに押圧操作される。
【００３９】
入力切換ボタン８５は、受信装置１への入力を切り換えるときに操作される。
【００４０】
画面表示ボタン８６は、モニタ装置３０上に現在表示しているチャンネル番号等の情報を表示させる場合に押圧操作され、再度押圧操作されることで前記情報の表示が解除される。
【００４１】
二重音声ボタン８７は、スピーカ装置４０から出力させる音声を二カ国語放送、又は多重音声の番組において、主音声、副音声、主音声及び副音声を出力させるように切り換えるときに押圧操作される。
【００４２】
数字ボタン８８は、０〜９までのボタンに区分されて設けられてなり、各ボタンに表示されている数字を入力するときに押圧操作される。
【００４３】
簡易番組表ボタン８９は、現在視聴可能な番組リストを示す上記ＥＰＧデータを用いて作成される簡易番組表データを表示するために押圧操作される。
【００４４】
番組表ボタン９０は、一般的な電子番組ガイドを表示するために押圧操作される。
【００４５】
詳細ボタン９１は、例えばチューナ２で受信している番組のより詳しい内容を表示させるときに押圧操作される。
【００４６】
決定ボタン９２は、カーソルでユーザが選択中のものを決定するときに押圧操作される。
【００４７】
また、上記カーソルは、アップボタン９３、ダウンボタン９４、レフトボタン９５、ライトボタン９６で構成され、ユーザが画面表示に応じてハイライト表示を移動、選択等するときに押圧操作される。
【００４８】
音響ボタン９７は、スピーカ装置４０から出力する音響の音量を調整するときに押圧操作される。
【００４９】
チャンネル切換ボタン９８は、表示するチャンネルの番号を増減させることで表示する番組の内容を順次変更するときに押圧操作される。
【００５０】
戻りボタン９９は、例えばある項目を選択していて、当該選択を取り消して初期状態に戻るときに押圧操作される。
【００５１】
コマンド受信部７２は、図５に示すように、上述したリモートコントローラ７１からの操作信号を受信して操作入力命令を生成し、内部制御部３に出力する。ここで、リモートコントローラ７１からコマンド受信部７２へは、例えば赤外線信号として操作信号をコマンド受信部７２に出力する。
【００５２】
このように構成された受信装置１によりチューナ２で受信された放送信号は、チューナ２によりデコード処理が施されて番組情報抽出部４に出力される。そして、デコード処理が施された放送信号は、番組情報抽出部４において映像信号、音響信号及びＥＰＧデータに分割されて、それぞれ映像信号再生部１２、音響信号再生部１３及び内部制御部３に出力される。なお、内部制御部３は、放送信号を例えばＨＤＤ６又はビデオディスクレコーダ２０に格納する処理を行っても良い。そして、内部制御部３に入力されたＥＰＧデータは、内部制御部３によりメモリ５に格納された制御プログラムが実行されることで簡易番組表データとなされてグラフィクス表示信号作成部１０に出力される。このとき、ＥＰＧデータに含まれる各番組ジャンルの内容が認識されてジャンルデータが生成され、当該ジャンルデータに属するＥＰＧデータを分類して簡易番組表データが内部制御部３により生成される。そして、簡易番組表データは、グラフィクス表示信号作成部１０によりモニタ装置３０に表示するための形式に変換され、簡易番組表データの内容をコンピュータ・グラフィックで表示させる番組表示信号とされる。そして、番組表示信号は、映像合成部１１に出力され、映像信号再生部１２からの映像信号とを合成される処理がなされ、合成されることでモニタ装置３０に映像を表示させるための映像出力信号となされる。
【００５３】
このような受信装置１により現在チューナ２により受信している放送信号及びビデオディスクレコーダ２０に備えられている記録媒体に格納されている放送信号について番組案内をするときには、内部制御部３が制御プログラムに従って処理を行うことで図７に示す簡易番組表を表示することにより行う。
【００５４】
すなわち、内部制御部３は、チューナ２で受信している放送信号及びビデオディスクレコーダ２０に備えられている記録媒体に記録されている放送信号の簡易番組表の表示を行うときには、図２に示すようなＥＰＧデータに含まれる番組ＩＤ、番組紹介情報、放送開始時間、放送終了時間を用いて上記制御プログラムに従った処理を行うことにより、図７中の（Ａ）に示すような表示を行うための簡易番組表データを生成する。そして、内部制御部３は、生成した簡易番組表データをグラフィクス表示信号作成部１０に出力することで番組表示信号を生成させ、当該番組表示信号を映像合成部１１に出力させ、映像信号再生部１２からの映像信号とを合成させる処理を行わせるように制御することで映像出力信号を生成させて図７中の（Ａ）に示す簡易番組表を表示させる。
【００５５】
上記図７（Ａ）に示す簡易番組表によれば、ＥＰＧデータに含まれる情報に基づいてある時刻における視聴可能な番組をジャンル毎に表示している。すなわち、この図７（Ａ）は、画面左部分に「スポーツ」、「ニュース」、「映画」、「ドラマ」の番組の分類である番組ジャンル１０１と、番組ジャンル１０１の画面右部分にチューナ２で現在受信していることを示す「現在放送中」表示１０２と、ビデオディスクレコーダ２０に備えられている記録媒体に記録したことを示す「録画済み」表示１０３とからなる簡易番組表を示す。そして、現在放送中表示１０２及び録画済み表示１０３には、現在視聴可能な番組数（放送局数）が、アイコンにより表示されることでスケール表示されるとともに、数字により表示されている。
【００５６】
ここで、上述の図７（Ａ）では、一画面内に４つのジャンルを表示するような映像出力信号がモニタ装置３０に入力されたときの一例について説明したが、一画面内に他のジャンルを表示しても良いことは勿論である。そして、内部制御部３は、上述の４つのジャンルの他に例えば天気予報やバラエティ等のジャンルが存在し視聴可能であるときには、一画面内で表示することができないジャンルを画面右下部分にカーソル表示することで、表示されているジャンル以外のジャンルで視聴可能な番組が存在することをユーザに提示するように制御する。そして、この内部制御部３は、上記カーソル表示をしているときにおいてリモートコントローラ７１のアップボタン９３又はダウンボタン９４が押圧操作されることによる操作入力命令に応じて表示しているジャンル以外のジャンルを表示するように制御する。なお、内部制御部３は、視聴可能なジャンルが一画面内に表示しているときには上記カーソル表示を行わないように制御する。
【００５７】
また、この受信装置１は、図７（Ａ）に示したように上述のように現在放送中表示１０２及び録画済み表示１０３の双方をモニタ装置３０に表示させる一例に限らず、図７（Ｂ）に示すように現在放送中表示１０２のみを表示させてもよく、図７（Ｃ）に示すように録画済み表示１０３のみを表示させても良い。
【００５８】
すなわち、内部制御部３は、図７（Ａ）の簡易番組表を表示させているときにおいて、リモートコントローラ７１の簡易番組表ボタン８９をユーザが押圧操作することで生成された操作入力命令に応じて制御信号を生成し、図７（Ａ）から図７（Ｂ）の現在放送中表示１０２のみを示す番組簡易表を表示するように切り換える処理を行う。更に、内部制御部３は、図７（Ｂ）の簡易番組表を表示させているときにおいて、上述と同様にリモートコントローラ７１の簡易番組表ボタン８９をユーザが押圧操作することで生成された操作入力命令に応じて制御信号を生成し、図７（Ｂ）から図７（Ｃ）の録画済み表示１０３のみを示す番組簡易表を表示するように切り換える処理を行う。更にまた、内部制御部３は、図７（Ｃ）の簡易番組表を表示させているときにおいて、上述と同様にリモートコントローラ７１の簡易番組表ボタン８９をユーザが押圧操作することで生成された操作入力命令に応じて制御信号を生成し、図７（Ｃ）から図７（Ａ）の現在放送中表示１０２及び録画済み表示１０３を示す番組簡易表を表示するように切り換える処理を行う。すなわち、この内部制御部３は、ユーザがリモートコントローラ７１の簡易番組表ボタン８９を押圧操作することで図７（Ａ）→図７（Ｂ）→図７（Ｃ）→図７（Ａ）という順序で簡易番組表を切換表示する。
【００５９】
具体的には、内部制御部３は、表示モードを切り換えることで上述のように図７（Ａ）→図７（Ｂ）→図７（Ｃ）→図７（Ａ）という順序で簡易番組表を切換表示する。すなわち、この内部制御部３は、図７（Ａ）に示す現在放送中表示１０２及び録画済み表示１０３を行うときを表示モード１とし、図７（Ｂ）に示す現在放送中表示１０２のみを行うときを表示モード２とし、図７（Ｃ）に示す録画済み表示１０３のみを行うときを表示モード３とし、操作入力命令に応じて表示モード１〜３の表示変数を変化させることで、図８に示すように、表示モード１→表示モード２→表示モード３→表示モード１という順序で表示モードを切り換える。
【００６０】
また、内部制御部３は、図７（Ｂ）の簡易番組表を表示させているときにおいて、ジャンル表示１０１の現在放送中のスポーツのうち野球をリモートコントローラ７１のカーソルにより指定してハイライト表示させ、上記詳細ボタン９１を押圧することによる操作入力命令に応じ、図４に示したような野球における各ＥＰＧデータを参照して図７（Ｄ）の簡易番組表を表示させるように制御する。このとき、内部制御部３は、各ジャンルにおけるＥＰＧデータの数を現在放送中表示の番組数として表示するように制御する。このように内部制御部３は、野球におけるＥＰＧデータを参照することで、現在放送中な野球番組の視聴可能な番組数をアイコン及び数字で表示する。なお、図７（Ｄ）に示すようジャンル表示の現在視聴可能なスポーツが野球、テニス、ゴルフであるときには、フットボールは現在視聴できないことを示す。
【００６１】
更に、内部制御部３は、図７（Ｄ）の簡易番組表を表示させているときにおいて、現在放送中のスポーツのうち野球をリモートコントローラ７１のカーソルにより指定してハイライト表示させ、上記詳細ボタン９１を押圧することによる操作入力命令に応じ、野球における各ＥＰＧデータを参照して図７（Ｅ）の簡易番組表を表示させるように制御する。内部制御部３は、図７（Ｅ）に示すように、野球のＥＰＧデータにより簡易番組表データを生成し、試合１及び試合２が現在放送中の番組であって視聴可能であることを表示するように制御する。
【００６２】
更にまた、内部制御部３は、図７（Ｅ）の簡易番組表を表示させているときにおいて、詳細ボタン９１が押圧操作されることで試合１が選択された場合においては、図７（Ｆ）に示すように試合１を放送させるような制御信号を生成して映像合成部１１を動作させる。
【００６３】
ここで、内部制御部３は、図７（Ｄ）〜図７（Ｆ）の簡易番組表を表示させているときにおいて、リモートコントローラ７１の戻りボタン９９がユーザにより押圧操作されたことに応じた操作入力命令が入力されたときには、階層が一段階だけ下層の状態に遷移するように制御信号を生成し、グラフィクス表示信号作成部１０を制御する。すなわち、内部制御部３は、図７（Ｄ）の簡易番組表を表示させているときに戻りボタン９９が押圧操作されたことに応じた操作入力信号が入力されたときには図７（Ｂ）に示す簡易番組表を表示し、図７（Ｅ）の簡易番組表を表示させているときに戻りボタン９９が押圧操作されたことに応じた操作入力信号が入力されたときには図７（Ｄ）に示す簡易番組表を表示し、図７（Ｆ）の簡易番組表を表示させているときに戻りボタン９９が押圧操作されたことに応じた操作入力信号が入力されたときには図７（Ｅ）に示す簡易番組表を表示するように制御信号を生成してグラフィクス表示信号作成部１０を制御する。
【００６４】
このとき、内部制御部３は、表示階層ステータスを変更することで上述のように図７（Ｂ）〜図７（Ｆ）に示す簡易番組表を表示させる。すなわち、内部制御部３は、図７（Ｂ）〜図７（Ｆ）に示す各簡易番組表において、大分類から、中分類、小分類と、段階的に詳細な簡易番組表を表示するための階層状態値を設定して制御信号を生成する。内部制御部３は、例えば図７（Ｂ）の簡易番組表を表示階層ステータス１とし、図７（Ｄ）の簡易番組表を表示階層ステータス２とし、図７（Ｅ）の簡易番組表を表示階層ステータス３とし、図７（Ｆ）の表示を表示階層ステータス４とする。具体的には、内部制御部３は、ジャンルを示す簡易番組表を表示階層ステータス１とし、表示階層ステータス１の簡易番組表よりもより詳細な「野球」や「テニス」等の情報を示す簡易番組表を表示階層ステータス２とし、「野球」や「テニス」をより詳細にして各試合の内容を示す簡易番組表を表示階層ステータス３とし、実際に番組を視聴している状態を示す表示を表示階層ステータス４としている。そして、内部制御部３は、詳細ボタン９１又は戻りボタン９９が押圧操作されたことを示す操作入力命令に応じて、図９に示すように各表示階層ステータス１〜４を遷移させるようにグラフィクス表示信号作成部１０を制御する。
【００６５】
このように簡易番組表を表示させる内部制御部３は、図１０に示すように遷移させて簡易番組表を表示する。なお、この図１０において、画面（Ａ）と示しているのは図７（Ａ）に示した簡易番組表であり、この他の画面（Ｂ）〜画面（Ｋ）として示しているのは図７（Ｂ）〜図７（Ｋ）に対応する簡易番組表である。この図１０によれば、内部制御部３は、簡易番組表ボタン８９が押圧操作されたことに応じた操作入力命令に応じて、画面（Ａ）、画面（Ｂ）、画面（Ｃ）間を上述の図８で説明したように表示モード間を遷移させるように簡易番組表を表示させる。また、内部制御部３は、画面（Ａ）、図７（Ｇ）に示す画面（Ｇ）、図７（Ｈ）に示す画面（Ｈ）、画面（Ｆ）間を上述の図９で説明したように表示階層ステータス間を遷移させるように簡易番組表を表示させる。更に、内部制御部３は、画面（Ｂ）、画面（Ｄ）、画面（Ｅ）、画面（Ｆ）間を上述の図９で説明したように表示階層ステータス間を遷移させるように簡易番組表を表示させる。更にまた、内部制御部３は、画面（Ｃ）、図７（Ｉ）に示す画面（Ｉ）、図７（Ｊ）に示す画面（Ｊ）、図７（Ｋ）に示す画面（Ｋ）間を上述の図９で説明したように表示階層ステータス間を遷移させるように簡易番組表を表示させる。
【００６６】
なお、内部制御部３は、上述のように図７（Ｄ）〜図７（Ｆ）の簡易番組表を表示させているときにおいて、簡易番組表ボタン８９が押圧操作されることに応じた操作入力命令が入力されたときには、図７（Ａ）の簡易番組表を表示させるように制御信号を生成してグラフィクス表示信号作成部１０を制御する。
【００６７】
また、上記ハイライト表示は、モニタ装置３０における画面の一部を強調する処理による表示を意味し、画面の一部の矩形領域の色の変更や反転、文字のブリング（点滅）や明度の変更等をする処理を含む。
【００６８】
つぎに、受信装置１により、上述した簡易番組表の表示を行うときにおける内部制御部３のＣＰＵ６１の処理について図１１に示すフローチャートを用いて説明する。
【００６９】
先ず、ステップＳ１において、ＣＰＵ６１は、メモリ５のプログラムエリア５１に格納された制御プログラムに従って簡易番組表データを作成したか否かを判定する。そして、ＣＰＵ６１は、簡易番組表データが作成されていないと判定したときにはステップＳ２に進み、作成されていると判定したときにはステップＳ４に進む。
【００７０】
ステップＳ２において、ＣＰＵ６１は、メモリ５のデータエリア５２に格納されているＥＰＧデータを読み込み、チューナ２により現在受信している放送信号により視聴可能な番組を集める処理をしてステップＳ３に進む。このとき、番組情報抽出部４では、チューナ２からの放送信号からＥＰＧデータを抽出し、内部制御部３のＩ／Ｏ制御部６２を介して当該ＥＰＧデータをメモリ５のデータエリア５２に格納する処理を行う。
【００７１】
ステップＳ３において、ＣＰＵ６１は、上述のステップＳ２で集めた各ＥＰＧデータの番組紹介情報に含まれる番組ジャンルを参照し、番組ジャンルに応じて複数のＥＰＧデータを分類する処理を行うことで、現在放送中である図４に示した簡易番組表データを生成してステップＳ４に進む。
【００７２】
ステップＳ４において、ＣＰＵ６１は、モニタ装置３０に表示する表示モードを判定する処理を行う。ここで、ＣＰＵ６１は、上述したように、図７（Ａ）に示したように現在放送中表示１０２及び録画済み表示１０３を行うときを表示モード１とし、図７（Ｂ）に示す現在放送中表示１０２のみを行うときを表示モード２とし、図７（Ｃ）に示す録画済み表示１０３のみを行うときを表示モード３とし、操作入力命令に応じて表示モード１〜３の表示変数を判定する処理を行う。このとき、ＣＰＵ６１は、メモリ５に記憶されている表示変数を読み込む処理を行うことで表示モードを認識する処理を行う。そして、ＣＰＵ６１は、表示モード１であると判定したときにはステップＳ５に進み、表示モード３であると判定したときにはステップＳ６に進み、表示モード２であると判定したときにはステップＳ７に進む。なお、本実施の形態に係る受信装置１では、表示モードの初期値が「１」、すなわち現在放送中及び録画済みの番組の双方の簡易番組表を表示する表示モードと設定されている。
【００７３】
ステップＳ５において、ＣＰＵ６１は、上述のステップＳ４で表示モード１であることが判定されたことに応じて、図７（Ａ）に示すような現在放送中表示１０２及び録画済み表示１０３を行うように、ステップＳ８に進む。
【００７４】
ステップＳ６において、ＣＰＵ６１は、例えばビデオディスクレコーダ２０に備えられている記録媒体に録画されている放送信号が存在するか否かを判定することで、録画済みの番組が存在するか否かを判定する。そして、ＣＰＵ６１は、録画済みの番組が存在すると判定したときにはステップＳ９に進み、録画済みの番組が存在しないと判定したときにはステップＳ１２に進む。
【００７５】
ステップＳ９において、ＣＰＵ６１は、録画済み表示を行うための簡易番組表データの作成を行う。すなわち、ＣＰＵ６１は、録画されている放送信号についてのＥＰＧデータをメモリ５から読み込む処理を行って、当該制御プログラムに従った動作を行うことで、録画済み表示を行うための図４に示すような簡易番組表データを作成する。
【００７６】
次のステップＳ１０において、ＣＰＵ６１は上述のステップＳ９において作成した簡易番組表データをグラフィクス表示信号作成部１０に出力し、グラフィクス表示信号作成部１０は、モニタ装置３０に簡易番組表を表示するための処理を行って番組表示信号を生成して映像合成部１１に出力し、映像合成部１１により映像出力信号を生成する。このステップＳ１０において、上述のステップＳ４において表示モード３と判定されたステップＳ６において、表示モード３が選択され録画済み表示のみを行うときには、この処理を行って処理を終了することになる。
【００７７】
次のステップＳ１１において、ＣＰＵ６１は、表示モード１であるか否かの確認処理を行う。そして、ＣＰＵ６１は、表示モード１であると確認したときはステップＳ１２に進み、表示モード１でないときには処理を終了する。
【００７８】
ステップＳ１２において、ＣＰＵ６１は、グラフィクス表示信号作成部１０及び映像合成部１１を制御することにより、現在放送中表示を行うための映像出力信号を生成してモニタ装置３０に表示させるように制御信号を生成して制御する。このような処理を行うことにより、ＣＰＵ６１は、ステップＳ７で表示モード２が選択されたときには現在放送中表示を行うことができ、ステップＳ５で表示モード１が選択されたときにはステップＳ１０で録画済み表示を行うとともに現在放送中表示も行うことができる。
【００７９】
このようにＥＰＧデータを用いて簡易番組表データを生成し簡易番組表を表示する受信装置１において、ユーザからの指示に応じて簡易番組表をモニタ装置３０に表示されるときの処理について図１２に示すフローチャートを用いて説明する。
【００８０】
この図１２によれば、先ず、ステップＳ２１においては、リモートコントローラ７１をユーザが押圧操作することによる操作信号をコマンド受信部７２で受信することにより操作入力命令が生成され、当該操作入力命令が内部制御部３に入力される。
【００８１】
次のステップＳ２２において、内部制御部３のＣＰＵ６１は、上述のステップＳ２１で入力された操作入力命令がリモートコントローラ７１の簡易番組表ボタン８９を押圧操作したことに基づくものか否かを判定する。そして、このＣＰＵ６１は、入力された操作入力命令がリモートコントローラ７１の簡易番組表ボタン８９を押圧操作したことに基づくものであると判定したときにはステップＳ２３に進み、操作入力命令がリモートコントローラ７１の簡易番組表ボタン８９を押圧操作したことに基づくものではないと判定したときにはステップＳ２７に進む。
【００８２】
ステップＳ２３において、ＣＰＵ６１は、モニタ装置３０に簡易番組表が表示されているか否かの判定を行う。具体的には、ＣＰＵ６１は、グラフィクス表示信号作成部１０に簡易表示表データを生成して出力したかを判定することで簡易番組表が表示されているか否かを判定する。そして、このＣＰＵ６１は、簡易番組表が表示されていると判定したときにはステップＳ２４に進み、簡易番組表が表示されていないと判定したときにはステップＳ２６に進んで図１１に示したフローチャートに従った処理を行うことで簡易番組表を表示させる。
【００８３】
ステップＳ２４において、ＣＰＵ６１は、ステップＳ２３において簡易番組表が表示されていると判定されたときであっても深い階層の簡易番組表が表示されているときもあるので、簡易番組表の上記表示階層ステータスを初期化する処理を行う。すなわち、ＣＰＵ６１は、上記表示階層ステータス１に設定する処理を行ってステップＳ２５に進む。
【００８４】
ステップＳ２５において、ＣＰＵ６１は、簡易番組表の上記表示モードをインクリメントする処理を行う。このとき、ＣＰＵ６１は、上述の図８を用いて説明したように例えば表示モード３からインクリメントを行うことで表示モード１とする処理を行ってステップＳ２６に進む。なお、ＣＰＵ６１は、表示モードをインクリメントする処理を行うことで表示モード１〜３の間で変数を変化させ、上述の図７（Ａ）〜（Ｃ）に示す簡易番組表を表示する。
【００８５】
ステップＳ２６において、ＣＰＵ６１は、図１１に示すフローチャートを用いて説明した処理を行うことで、ステップＳ２４で表示階層ステータスが初期化されるとともにステップＳ２５で表示モードがインクリメントされた簡易番組表を表示させる処理を行う。
【００８６】
ステップＳ２７において、ＣＰＵ６１は、上述のステップＳ２１で入力された操作入力命令がリモートコントローラ７１の戻りボタン９９を押圧操作したことに基づくものか否かを判定する。そして、このＣＰＵ６１は、入力された操作入力命令が戻りボタン９９を押圧操作したことに基づくものでないと判定したときにはステップＳ３１に進み、操作入力命令が戻りボタン９９を押圧操作したことに基づくものであると判定したときにはステップＳ２８に進む。
【００８７】
ステップＳ２８において、ＣＰＵ６１は、表示する簡易番組表が一番始めの簡易番組表、すなわち図７中における（Ａ）〜（Ｃ）のいずれかの簡易番組表であるか否かを判定する。そして、ＣＰＵ６１は、表示する簡易番組表が一番始めの簡易番組表であると判定したときにはステップＳ２９に進み、表示する簡易番組表が一番始めの簡易番組表でないと判定したときにはステップＳ３０に進む。
【００８８】
ステップＳ２９において、ＣＰＵ６１は、一番始めの簡易番組表、すなわち図７（Ａ）〜（Ｃ）の簡易番組表の表示を終了して、通常の番組放送をモニタ装置３０に表示するように制御する。
【００８９】
一方、例えば図７（Ｄ）、（Ｅ）、（Ｆ）に示すような簡易番組表を表示しているときには、ステップＳ３０において、ＣＰＵ６１は、一つ前の階層に簡易番組表を戻す処理を行う。すなわち、ＣＰＵ６１は、表示階層ステータスを１だけ減じるように処理することで、例えば図７における（Ｆ）→（Ｅ）、（Ｅ）→（Ｄ）、（Ｄ）→（Ｂ）に変更する処理を行ってステップＳ２６に進み、指定した表示階層ステータスにおける簡易番組表を表示する処理に移行する。
【００９０】
ステップＳ３１において、ＣＰＵ６１は、上述のステップＳ２１で入力された操作入力命令がリモートコントローラ７１の決定ボタン９２を押圧操作したことに基づくものか否かを判定する。そして、このＣＰＵ６１は、入力された操作入力命令が決定ボタン９２を押圧操作したことに基づくものでないと判定したときにはステップＳ３４に進み、操作入力命令が決定ボタン９２を押圧操作したことに基づくものであると判定したときにはステップＳ３２に進む。
【００９１】
ステップＳ３２において、ＣＰＵ６１は、簡易番組表の表示階層ステータスをインクリメントする処理を行う。すなわち、ＣＰＵ６１は、上述の図９を用いて説明したように表示階層ステータスを１だけ増加させる処理を行う。ここで、ＣＰＵ６１は、インクリメントを行う前の表示階層ステータスが４であるときに決定ボタン９２が押圧操作されたことに応じた操作入力命令が入力されたときには、表示階層ステータスを変更する処理を行わない。
【００９２】
次のステップＳ３３において、ＣＰＵ６１は、上述のステップＳ２３においてインクリメントされた表示階層ステータスに応じて更に詳細な簡易番組表データの作成を行う。このとき、ＣＰＵ６１は、メモリ５に格納されたＥＰＧデータを再び読み込む処理を行うことで表示階層ステータスに応じた簡易番組表データを作成して、ステップＳ２６に進み作成した簡易番組表データに基づいて簡易番組表の表示を行う。
【００９３】
一方、ステップＳ３４において、ＣＰＵ６１は、上述のステップＳ２１で入力された操作入力命令がリモートコントローラ７１のアップボタン９３、ダウンボタン９４、レフトボタン９５及びライトボタン９６からなるカーソルボタンを押圧操作したことに基づくものか否かを判定する。そして、このＣＰＵ６１は、入力された操作入力命令がカーソルボタンを押圧操作したことに基づくものでないと判定したときにはステップＳ３５に進み、操作入力命令がカーソルボタンを押圧操作したことに基づくものであると判定したときにはステップＳ３６に進む。
【００９４】
ステップＳ３５において、ＣＰＵ６１は、リモートコントローラ７１に設けられているボタンの内、その他のボタンが押圧操作されたことを認識して当該他のボタンによる操作入力命令に応じた処理を行う。
【００９５】
ステップＳ３６において、ＣＰＵ６１は、図７に示した各簡易番組表においてハイライト表示する位置を変更するような制御信号を生成してステップＳ２６に進み、簡易番組表の表示処理を行う。
【００９６】
このような処理を行う受信装置１は、チューナ２で受信した放送信号から番組情報抽出部４によりＥＰＧデータを抽出し、内部制御部３のＣＰＵ６１により簡易番組表データを生成する処理を行うので、例えば図７（Ａ）に示すように、多大な番組を、番組ジャンル１０１、現在放送中表示１０２及び録画済み表示１０３からなる簡易番組表をモニタ装置３０に表示させることができる。また、この受信装置１によれば、現在放送中表示１０２及び録画済み表示１０３に現在視聴可能な番組数（放送局数）をアイコン等のスケール表示及び数字により表示することができる。したがって、この受信装置１によれば、上述のように番組ジャンルと、当該番組ジャンルにおける視聴可能な数を表示することができるので、多くの視聴可能な番組を逐次確認する必要がなくなり、放送中の番組数を容易に確認することができる。
【００９７】
また、この受信装置１によれば、チューナ２で放送信号を受信しており現在放送中の番組ジャンルにおける番組数を表示する処理を行い、番組数が０の番組ジャンルについては表示する処理を行わないので、ユーザに現在の放送番組状況を迅速に提示することができる。
【００９８】
更に、受信装置１は、表示階層ステータスの大分類として図７（Ａ）〜（Ｃ）に示すような番組ジャンルを表示するように簡易番組表データを作成するので、ユーザが所望している番組の検索等を容易に行わせることができ、限られた表示画面においてより新聞や番組雑誌で番組を選択するのと同等の感覚で所望の番組を検索させることができる。
【００９９】
更にまた、この受信装置１は、ビデオディスクレコーダ２０に格納された放送信号及びチューナ２で受信している放送信号についての簡易番組表を表示する処理を行うので、チューナ２で受信している放送信号にユーザが所望する番組が存在しない場合であっても、ビデオディスクレコーダ２０に録画されている番組を選択させて視聴させることができる。
【０１００】
更にまた、この受信装置１は、上述した図７に示した簡易番組表を表示する処理を行うことでユーザが利用した使用時刻についてのみ表示する処理を行っているが、ユーザが操作入力部７により時間を指定する操作入力命令に応じて指定された時刻における簡易番組表を作成することができる。
【０１０１】
更にまた、この受信装置１は、ユーザのプロファイルを参照して作成する簡易番組表の表示内容を変更するように簡易番組表データを作成することでユーザが所望する番組をより迅速に検索させることができる。
【０１０２】
更にまた、受信装置１は、チューナ２で放送信号を受信することで現在視聴可能な番組を示す簡易番組表を表示させる一例について説明したが、週間や月間での番組表示において上述のように番組ジャンルと当該番組ジャンルにおける番組数とを示す簡易番組表を表示するときにも本発明が適用可能である。これによりユーザは、週間及び月間において、番組ジャンルと、当該番組ジャンルにおける番組数とを知ることができる。
【０１０３】
なお、上述した本実施の形態ではチューナ２で受信した放送信号及び録画済みの放送信号についてのＥＰＧデータを用いて簡易番組表データを作成してモニタ装置３０で簡易番組表を表示させる受信装置１について説明したが、チューナ２で受信した放送信号及び録画済みの放送信号についてのＥＰＧデータを用いて簡易番組表データを作成し、作成した簡易番組表データを放送信号に付加した信号を作成し、通信制御部８又はホームネット入出力制御部９を介して他の装置に出力する処理を行うことや、他の装置で作成された簡易番組表データが付加された放送信号を再生してモニタ装置３０に表示させることも可能である。
【０１０４】
【発明の効果】
以上詳細に説明したように、本発明に係る映像情報表示方法及び装置によれば、複数の番組から入力された複数の映像信号に付加された映像情報を抽出手段により抽出することで映像信号が示す番組の種類及び当該各種類の番組において視聴可能な番組数を得る。そして、この映像情報表示方法及び装置によれば、抽出手段からの抽出結果に応じて表示装置に映像信号が示す番組の種類及び当該各種類の番組を放送する番組数を表示するので、多大な番組数が視聴可能であっても、映像情報を用いて番組の種類及び番組数を表示することができ、ユーザが所望する番組を容易に選択させることができる。
【０１０５】
また、本発明に係る映像信号処理方法及び装置によれば、複数の番組から入力された複数の映像信号に付加された映像情報を抽出手段により抽出することで映像信号が示す番組の種類及び当該各種類の番組における番組数を得る。そして、この映像信号処理方法及び装置によれば、抽出手段からの抽出結果に応じて番組の種類及び当該各種類の番組における視聴可能な番組数を表示するための表示制御信号を生成し、当該表示制御信号とともに映像信号を出力する処理を行うことができるので、多大な番組数が視聴可能であっても、映像情報を用いて番組の種類及び番組数を表示することができユーザが所望する番組を容易に選択させることができる映像信号を出力することができる。
【図面の簡単な説明】
【図１】本発明を適用した受信装置の一構成例を示すブロック図である。
【図２】ＥＰＧデータのフォーマットについて説明するための図である。
【図３】本発明を適用した受信装置に備えられる内部制御部及びメモリの一構成例を示すブロック図である。
【図４】簡易番組表データのフォーマットについて説明するための図である。
【図５】本発明を適用した受信装置に備えられる操作入力部の一構成例を示すブロック図である。
【図６】操作入力部を構成するリモートコントローラの一例を示す構成図である。
【図７】本発明を適用した受信装置により作成された簡易番組表データを用いてモニタ装置に表示される簡易番組表について説明するための図である。
【図８】表示モードの遷移について説明するための図である。
【図９】表示階層ステータスの遷移について説明するための図である。
【図１０】簡易番組表の遷移について説明するための図である。
【図１１】簡易番組表を表示するときにおけるＣＰＵの処理手順を説明するためのフローチャートである。
【図１２】入力される操作入力命令に応じてＣＰＵが簡易番組表の表示モード及び表示階層ステータスを変化させる処理について説明するための図である。
【符号の説明】
１  受信装置、２  チューナ、３  内部制御部、４  番組情報抽出部、３０  モニタ装置、６１  ＣＰＵ、１０１  番組ジャンル、１０２  現在放送中表示、１０３  録画済み表示
【図１】
0004529196.tif 000002
【図２】
0004529196.tif 000003
【図３】
0004529196.tif 000004
【図４】
0004529196.tif 000005
【図５】
0004529196.tif 000006
【図６】
0004529196.tif 000007
【図７】
0004529196.tif 000008
【図８】
0004529196.tif 000009
【図９】
0004529196.tif 000010
【図１０】
0004529196.tif 000011
【図１１】
0004529196.tif 000012
【図１２】
0004529196.tif 000013